(57)【要約】      （修正有）【課題】より堅固に連結出来るとともに、解体が容易で、且つ、輸送コストを大幅に低減することが可能なペットハウス構造体を提供する。【解決手段】本考案に係るペットハウス構造体は、底板１と、側板２と、上蓋３と、形材４と、を含み、前記側板と前記形材とが交互に連結されて囲んで、多角形構造のフレームを形成し、前記フレームの少なくとも１つの前記側板に通路２１が設けられ、前記底板と前記上蓋が締結装置を介して前記フレームの前記形材に連結され、前記底板、前記フレーム及び前記上蓋によって、ペットハウス８が形成される。【選択図】図１
0003235087.tif 000002
【実用新案登録請求の範囲】
【請求項１】
底板（１）と、側板（２）と、上蓋（３）と、形材（４）と、を含み、
前記側板（２）と前記形材（４）とが交互に連結されて囲んで、多角形構造のフレーム（５）を形成し、
前記フレーム（５）の少なくとも１つの前記側板（２）に通路（２１）が設けられ、
前記底板（１）と前記上蓋（３）が締結装置（７）を介して前記フレーム（５）の前記形材（４）に連結され、
前記底板（１）、前記フレーム（５）及び前記上蓋（３）によって、ペットハウス（８）が形成される、
ペットハウス構造体。
【請求項２】
前記形材（４）に２組の係止溝（４２）が設けられ、
前記側板（２）の両端には、それぞれ隣接する形材（４）の係止溝（４２）と嵌合する係止凸部（２２）が設けられる、
請求項１に記載のペットハウス構造体。
【請求項３】
前記形材（４）の上端面及び下端面には、それぞれねじ穴（４３）が設けられ、
前記底板（１）と前記上蓋（３）はボルトによって形材（４）に固定連結される、
請求項１又は２に記載のペットハウス構造体。
【考案の詳細な説明】
【技術分野】
【０００１】
本考案は、ペットハウス構造体に関する。
【背景技術】
【０００２】
社会の発展や生活水準の向上に伴い、子猫や子犬、ハムスター等の小動物のペットも人々の生活の一部となっている。都市内の家庭生活の空間が小さいため、ペットの生活やペットの習性の発散には不利という問題があるが、現在、この問題を解決し、ペットが活発に遊ぶ習性を満たすキャットタワーが登場している。
【０００３】
例えば、中国特許出願公開第２０１３１０７４９３１２．８号明細書（特許文献１）には、空間を節約するために、より多くの機能が付与されたキャットタワーが開示されている。このキャットタワーにキャットハウスを設置し、このキャットタワーをキャットハウスとして使用することができる。
【０００４】
しかしながら、このキャットハウスは清掃が困難であり、ペットの猫が汚れたキャットハウス内で長時間いると、猫の心身健康が崩れてしまうという課題がある。
【０００５】
この課題を解決するために、中国特許出願公開第２０１６２００９５６５８．Ｘ号明細書（特許文献２）には、底板を含むキャットハウスが開示されている。このキャットハウスでは、底板上にキャットハウスが設けられており、キャットハウスが天板、土台、側板及び固定部材を含み、天板、土台及び側板の三つが囲んで休憩空間を形成し、天板と土台が固定部材を介して側板に着脱可能に固定連結され、側板が断面Ｌ字状の着脱板を含む。そして、キャットハウスが多層に構成されている。
【先行技術文献】
【特許文献】
【０００６】
【特許文献１】実用新案登録第３１５８３１７号公報
【特許文献２】実用新案登録第３２２２１０３号公報
【考案の概要】
【考案が解決しようとする課題】
【０００７】
しかしながら、特許文献２に記載の技術では、底板と天板はそれぞれ固定部材（ボルト）によって固定連結されるため、緩みが生じやすく、堅固ではない。そのため、そのキャットハウス全体の構造強度が低くなり、一方、その側板が収容しにくく、大きな空間を占めるため、そのキャットハウスの輸送コストが高くなるという課題がある。
【０００８】
そこで、本考案は、上述の課題を解決するためになされたものであり、より堅固に連結出来るとともに、解体が容易で、且つ、輸送コストを大幅に低減することが可能なペットハウス構造体を提供することを目的とする。
【課題を解決するための手段】
【０００９】
本考案に係るペットハウス構造体は、底板（１）と、側板（２）と、上蓋（３）と、形材（４）と、を含み、前記側板（２）と前記形材（４）とが交互に連結されて囲んで、多角形構造のフレーム（５）を形成している。又、ペットハウス構造体は、前記フレーム（５）の少なくとも１つの前記側板（２）に通路（２１）が設けられ、前記底板（１）と前記上蓋（３）が締結装置（７）を介して前記フレーム（５）の前記形材（４）に連結される。そして、ペットハウス構造体は、前記底板（１）、前記フレーム（５）及び前記上蓋（３）によって、ペットハウス（８）が形成される。
【考案の効果】
【００１０】
本考案によれば、より堅固に連結出来るとともに、解体が容易で、且つ、輸送コストを大幅に低減することが可能となる。
【図面の簡単な説明】
【００１１】
【図１】本考案に係る実施例１の構造模式図である。
【図２】本考案に係る実施例１に係る形材の断面図である。
【図３】本考案に係る実施例２の分解図である。
【図４】本考案に係る実施例２に係るフレームの構造模式図である。
【図５】本考案に係る実施例２の図４のＡ部拡大図である。
【図６】本考案に係る実施例２に係る形材の別の構造模式図である。
【図７】本考案に係る実施例３の構造模式図である。
【図８】本考案に係る実施例４の構造模式図である。
【図９】本考案に係る実施例５の構造模式図である。
【図１０】本考案に係る実施例６の構造模式図である。
【図１１】本考案に係る実施例７の構造模式図である。
【図１２】本考案に係る実施例８の構造模式図である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係る実施例１のペットハウス構造体は、子猫や子犬、ハムスター等の小動物に適用されるペットハウス構造体であって、図１−図２に示すように、底板１と、側板２と、上蓋３と、形材４と、を含み、側板２と形材４とが交互に連結されて囲んで、多角形構造のフレーム５を形成している。
【００１４】
又、フレーム５の少なくとも１つの側板２に通路２１が設けられており、底板１と上蓋３が締結装置７を介してフレーム５の形材４に連結され、底板１、フレーム５及び上蓋３によってペットハウス８が形成されるようになっている。
【００１５】
これにより、より堅固に連結出来るとともに、解体が容易で、且つ、輸送コストを大幅に低減することが可能となる。即ち、板材２と形材４とが交互に連結されて囲んで、多角形構造のフレーム５を形成することで、より堅固に連結可能となる。又、底板１と上蓋３が締結装置７を介してフレーム５の形材４に連結されているため、締結装置７の解除により解体が容易であり、各部品は、底板１と、側板２と、上蓋３と、形材４とになるため、輸送コストを大幅に低減することが可能となる。
【００１６】
ここで、図２に示すように、形材４に２組の係止溝４２が設けられており、側板２の両端には、それぞれ隣接する形材４の係止溝４２と嵌合する係止凸部２２が設けられている。これにより、形材４に２組の係止溝４２に側板２の一端の係止凸部２２を嵌合させることで、簡単に、且つ、堅固に連結することが出来る。
【００１７】
更に、図２に示すように、形材４の上端面及び下端面には、それぞれねじ穴４３が設けられており、底板１と上蓋３はボルトによって形材４に固定連結される。これにより、形材４のねじ穴４３に底板１又は上蓋３を介してボルトを固定連結させることで、ペットハウス構造体を簡単に組み立てることが出来るとともに、容易に解体することも可能となる。
【００１８】
次に、本考案に係る実施例２のペットハウス構造体は、図３−図６に示すように、形材４は、当該形材４の長手方向に沿って延びる取付キャビティ４１を有し、取付キャビティ４１内にインナープラグ６が設置されている。
【００１９】
そして、本考案に係る実施例２において、インナープラグ６は、形材４の取付キャビティ４１と締り嵌めし、底板１と上蓋３が締結装置７を介してインナープラグ６に連結され、底板１、フレーム５及び上蓋３によってペットハウス８が形成されるようになっている。このような構成であっても、本考案に係る実施例１と同様の作用効果を得ることが出来る。
【００２０】
ここで、締結装置７はボルトであり、インナープラグ６の上端面及び下端面には、それぞれ、ボルトと嵌合するねじが設けられている。図５−図６に示すように、インナープラグ６のサイズは、形材４の断面形状に応じて適宜設計される。
【００２１】
形材４の迅速な量産を可能にするために、形材４の材質をアルミニウム又はプラスチックとすると好ましい。又、フレーム５の側板２の外側には、ペットが遊ぶためのタフト布２３が設けられている。
【００２２】
次に、本考案に係る実施例３のペットハウス構造体は、図７に示すように、ペットハウス８の底部の周囲に支持脚８１が設けられている。このように、支持脚８１を設けることで、このペットハウス８の高さを高くすることができ、このペットハウス８をスツールとして用いてこれに腰掛けることができるようになっている。
【００２３】
次に、本考案に係る実施例４のペットハウス構造体は、図８に示すように、ペットハウス８の先端に支柱８２が設けられ、支柱８２の外周に麻縄が巻き回され、支柱８２の上端に屋根８３が設けられている。これにより、ペットが支柱８２をよじ登って屋根８３で休むことが出来る。
【００２４】
次に、本考案に係る実施例５のペットハウス構造体は、図９に示すように、ペットハウス８は２つであり、当該ペットハウス８は上下にずれて設置され、下端のペットハウス８から基板８４が延設されている。又、基板８４上に上端のペットハウス８を支持するための支柱８２が設けられ、上端のペットハウス８には屋根８３が設けられる。そして、屋根８３は支柱８２を介して上端のペットハウス８に固定連結され、支柱８２の外周に麻縄が巻き回されている。これにより、ペットが遊べるペットハウス８を簡単に増設することが出来る。又、支柱８２によって、ペットが動き回って屋根８３に登ったり爪を研いだりすることが出来る。
【００２５】
次に、本考案に係る実施例６のペットハウス構造体は、図１０に示すように、ペットハウス８は複数設けられており、ペットハウス８は、積み重ねるように上方向にずれて配列され、最下端のペットハウス８から基板８４が延設され、基板８４上に上端を支持するペットハウス８が設けられている。これにより、ペットハウス８の増設を容易にするとともに、ペットが動き回ることが出来る空間を広げることが出来る。
【００２６】
次に、本考案に係る実施例７のペットハウス構造体は、図１１に示すように、ペットハウス８は複数設けられており、且つ、揃えるように上下に配列され、最上端のペットハウス８の上端に天板８５が設けられ、天板８５は連結柱８６を介してペットハウス８に固定装着されており、隣接するペットハウス８間に渡り板８７が設けられている。このように構成しても、ペットハウス８の増設を容易にするとともに、ペットが動き回ることが出来る空間を広げることが出来る。
【００２７】
次に、本考案に係る実施例８のペットハウス構造体は、図１２に示すように、ペットハウス８は３つであり、最上部のペットハウス８は最下部のペットハウス８の真上に位置し、支柱８２を介して最下部のペットハウス８に固定連結されている。又、中間のペットハウス８は最上部のペットハウス８及び最下部のペットハウス８とずれており、最下部のペットハウス８の中間のペットハウス８に向く側には基板８４が設けられ、基板８４上にペットハウス８を支持するための支柱８２が設けられている。更に、中間のペットハウス８に支柱８２が設けられ、当該支柱８２に天板８５が連結され、天板８５の中部に貫通孔を有する。このように構成しても、ペットハウス８の増設を容易にするとともに、ペットが動き回ることが出来る空間を広げることが出来る。
【００２８】
以上をまとめると、本考案は、以下の有益な効果を有する。
【００２９】
ペットハウス構造では、底板１と、側板２と、上蓋３と、形材４と、を含み、側板２と形材４とが交互に連結されて囲んで、多角形構造のフレーム５を形成している。又、フレーム５の少なくとも１つの側板２に通路２１が設けられており、底板１と上蓋３が締結装置７を介してフレーム５の形材４に連結され、底板１、フレーム５及び上蓋３によってペットハウス８が形成されるようになっている。
【００３０】
このような構成は、構造がコンパクトであり、堅固に連結されているため、ペットハウス８全体の構造強度が高く、同時に、当該ペットハウス８は取り外し可能な設計となっており、取り外し洗浄が容易である。又、より小さな空間に収容でき、さらに、輸送コストを大幅に低減することができる。
【００３１】
以上は、本考案の好適な実施形態に過ぎないため、本考案の範囲に記載の構造、特徴及び原理に基づく等価な変化又は修正は、すべて本考案の範囲に含まれている。
【産業上の利用可能性】
【００３２】
以上のように、本考案に係るペットハウス構造体は、あらゆる小動物のペットハウスとして有用であり、より堅固に連結出来るとともに、解体が容易で、且つ、輸送コストを大幅に低減することが可能なペットハウス構造体として有効である。
【符号の説明】
【００３３】
１  底板
２  側板
３  上蓋
４  形材
５  フレーム
２１  通路
７  締結装置
８  ペットハウス
【図１】
0003235087.tif 000003
【図２】
0003235087.tif 000004
【図３】
0003235087.tif 000005
【図４】
0003235087.tif 000006
【図５】
0003235087.tif 000007
【図６】
0003235087.tif 000008
【図７】
0003235087.tif 000009
【図８】
0003235087.tif 000010
【図９】
0003235087.tif 000011
【図１０】
0003235087.tif 000012
【図１１】
0003235087.tif 000013
【図１２】
0003235087.tif 000014